【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
溶離液コンテナを保持する放射線遮蔽アッセンブリであって、当該アッセンブリは、
コンテナを受け入れるキャビティを備えた本体であって、当該キャビティは、少なくとも部分的に本体内に形成されており、当該本体は、キャビティに通じる開口を規定しており、放射線遮蔽材料を含んでいる、本体、および
少なくとも部分的にキャビティ内に配置されたクランプシステムであって、当該クランプシステムは、当該キャビティ内をほぼ横断して突出する第１デタントを備え、当該デタントは、上記開口に対する所定の相対位置に、コンテナを着脱可能に保持する、クランプシステム、
を含む、放射線遮蔽アッセンブリ。
【請求項２】
上記デタントは、コンテナのネック部に係合する、請求項１記載の放射線遮蔽アッセンブリ。
【請求項３】
上記クランプシステムは、コンテナに対するグリップ力が比較的弱い第１状態、またはコンテナに対するグリップ力が比較的強い第２状態に、選択的に調整可能である、請求項１または２記載の放射線遮蔽アッセンブリ。
【請求項４】
上記キャビティのほぼ長さ方向に延びる軸の周りで、上記本体に対して回転可能なアクチュエータをさらに備えていて、
上記第１状態および第２状態間におけるクランプシステムの調整は、アクチュエータを本体に対して相対移動させることで制御される、請求項３記載の放射線遮蔽アッセンブリ。
【請求項５】
上記クランプシステムは、第２デタントをさらに含み、上記第１デタントおよび第２デタントは、少なくとも部分的に通路を規定し、
少なくとも一方のデタントが他方のデタントに対して相対移動可能であって、
第１デタントおよび第２デタントは、上記第１状態においては、比較的大きな通路を規定するよう相対的に位置しており、上記第２状態においては、比較的小さな通路を規定するよう相対的に位置している、請求項３記載の放射線遮蔽アッセンブリ。
【請求項６】
上記開口は第１開口であって、
上記本体は、第１開口よりも大きな第２開口をさらに規定しており、
上記アッセンブリは、本体に着脱可能に取り付けられたベースをさらに備えており、当該ベースは、本体に取り付けられたときに、キャビティ内で放出された放射線が第２開口を通ってアッセンブリから出て行くのを制限する、請求項１〜５のいずれか１項に記載の放射線遮蔽アッセンブリ。
【請求項７】
上記クランプシステムは、上記開口の近傍に位置している、請求項１〜５のいずれか１項に記載の放射線遮蔽アッセンブリ。
【請求項８】
上記所定の相対位置は、キャビティの中央であって、上記開口と整合している、請求項１〜７のいずれか１項に記載の放射線遮蔽アッセンブリ。
【請求項９】
溶離液コンテナを取り扱う方法であって、
キャビティへ通じる開口を有する放射線遮蔽本体のキャビティ内にコンテナを配置する配置工程と、
その後、コンテナを所定位置にクランプすることによって、コンテナを上記開口に対する所定の相対位置にコンテナの所定の位置で着脱可能に保持する保持工程と、を含む方法。
【請求項１０】
上記コンテナをキャビティ内に保持したまま、上記開口を通して放射性物質をコンテナ内に受け入れる受入れ工程をさらに含む、請求項９記載の方法。
【請求項１１】
上記受入れ工程では、ラジオアイソトープ発電機から、放射性物質を含む溶離液を受け入れる、請求項１０記載の方法。
【請求項１２】
上記配置工程では、クランプシステムがコンテナを受け入れ可能な第１状態として、コンテナがキャビティ内に配置され、
上記保持工程では、クランプシステムがキャビティ内の実質上固定された位置にコンテナを保持できる第２状態へとクランプシステムが調整される、請求項９、１０または１１記載の方法。
【請求項１３】
上記第２状態へのクランプシステムの調整は、上記本体に設けたアクチュエータを上記キャビティのほぼ長さ方向に延びる軸の周りで当該本体に対して相対的に回転させる、請求項９〜１２のいずれか１項記載の方法。
【請求項１４】
上記クランプシステムは、第１デタントおよび第２デタントを含み、
両デタントは、両デタントが第１通路領域を形成する第１状態と、第１通路領域よりも小さい第２通路領域を形成する第２状態と、に互いに相対移動可能で、
上記第２状態へのクランプシステムの調整は、両デタントを第１状態から第２状態へと移動させて行われる、請求項９〜１３のいずれか１項に記載の方法。
【請求項１５】
上記第２状態へのクランプシステムの調整は、アッセンブリのアクチュエータを上記本体に対して相対的に移動させ、上記両デタントを第１状態から第２状態へと移動させて行われる、請求項１４記載の方法。
【請求項１６】
上記開口は第１開口であって、
上記配置工程においては、第１開口よりも大きな第２開口を通して、コンテナがキャビティ内へと移動させられる、請求項９〜１５のいずれか１項に記載の方法。
【請求項１７】
コンテナをキャビティ内に保持したまま上記本体にベースを取り付けるベース取付工程をさらに含んでおり、
当該ベースは、キャビティ内で放出された放射線が第２開口を通してアッセンブリから出て行くのを制限する、請求項１６記載の方法。
【請求項１８】
上記コンテナは第１コンテナである請求項９〜１７のいずれか１項に記載の方法であって、当該方法は、
第１コンテナをアッセンブリから取り出す工程と、
第１コンテナとはサイズの異なる第２コンテナをキャビティ内に配置する工程と、
上記クランプシステムを使用して、第２コンテナを上記開口に対する所定の相対位置に保持する工程と、
キャビティ内に第２コンテナを保持したまま、上記開口を通して第２コンテナ内に放射性物質を受け入れる工程と、をさらに含む方法。
【請求項１９】
上記第１コンテナの所定の相対位置と、上記第２コンテナの所定の相対位置と、が実質的に同じである、請求項１８記載の方法。
【請求項２０】
上記第１コンテナと第２コンテナとの高さが異なる、請求項１８または１９記載の方法。
【請求項２１】
上記放射性物質は、ラジオアイソトープを含む溶離液である、請求項１８、１９または２０記載の方法。
【請求項２２】
上記クランプシステムを使用する工程においては、キャビティ内にコンテナを配置した後で、少なくとも１つの弾性デタントを移動させて、当該デタントをコンテナのネック部に係合させる、請求項１８〜２１のいずれか１項に記載の方法。
【請求項２３】
放射性物質のコンテナを放射線遮蔽アッセンブリ内に収容する方法であって、当該方法は、
長手軸を有する本体の内部キャビティにコンテナを配置する配置工程と、
上記本体に関連するアクチュエータを移動させて、キャビティ内を横断して突出する細長いデタントに、コンテナに対して、キャビティの長手軸を横断する方向の弾性力を負荷させ、これによりコンテナをキャビティ内に保持する、移動工程と、を含む方法。
【請求項２４】
上記コンテナの保持は、上記弾性力をコンテナのネック部に作用することで行われる、請求項２３記載の方法。
【請求項２５】
上記コンテナの保持は、クランプシステムを、コンテナに対するグリップ力が比較的弱い第１状態、または、コンテナに対するグリップ力が比較的強い第２状態に、選択的に調整することで行われる、請求項２３または２４記載の方法。
【請求項２６】
上記クランプシステムの調整は、上記本体に設けたアクチュエータを移動させて、上記第１状態と第２状態の間でクランプシステムを調整することで行われる、請求項２５記載の方法。
【請求項２７】
上記配置工程においては、上記本体の開口を通して、コンテナがキャビティ内に挿入され、
当該方法は、さらに、上記開口の近傍において本体に対してベースを取外し可能に取り付けて、コンテナを少なくとも部分的にキャビティ内に収容する、取付工程を含む、請求項２３〜２６のいずれか１項に記載の方法。
【請求項２８】
上記コンテナの保持は、コンテナを開口の近傍に保持して、本体を通してキャビティ内へ位置させることで行われる、請求項２３〜２７のいずれか１項に記載の方法。